(57)【要約】【課題】ＬＥＤ等の負荷の異常を容易に判定して発煙又は発火を防止することができる駆動装置及び照明装置を提供する。【解決手段】各ＬＥＤ１〜４のアノードには、抵抗素子Ｒ１、Ｒ２、Ｒ３で構成される基準電圧検出部４０を接続してある。ダイオードＤ１のアノードには、抵抗素子Ｒ１１、Ｒ１２、Ｒ１３で構成される電圧検出部４１を接続してある。ダイオードＤ２〜Ｄ４のアノードにも電圧検出部４１と同等の構成を有する電圧検出部４２〜４４を接続してある。マイコン５０は、電圧検出部４１〜４４から出力される電圧と基準電圧検出部４０から出力される電圧に基づいて、ＬＥＤ１〜４のショート又はオープンを判定する。【選択図】図１
2009016459.tif 000002
【特許請求の範囲】
【請求項１】
ＬＥＤ等の負荷に電流を供給するための電流駆動素子を備える駆動装置において、
前記負荷のオープン及び／又はショートにより発生する電圧の変動を検出する電圧検出部と、
該電圧検出部で検出した電圧に応じて、前記負荷のオープン及び／又はショートを判定する判定部と
を備えることを特徴とする駆動装置。
【請求項２】
ＬＥＤ等の負荷に電流を供給するための電流駆動素子を備える駆動装置において、
前記電流駆動素子に直列に該電流駆動素子と前記負荷のカソードとの間に接続される整流素子と、
該整流素子のアノード側の電圧を検出する電圧検出部と、
該電圧検出部で検出した電圧に応じて、前記負荷のオープン及び／又はショートを判定する判定部と
を備えることを特徴とする駆動装置。
【請求項３】
前記電流駆動素子は、
並列接続された複数のＬＥＤ等の負荷に定電流を供給するように構成してあり、
前記電流駆動素子に直列に該電流駆動素子と各負荷との間にそれぞれ接続される整流素子を複数備え、
前記電圧検出部は、
各整流素子のアノード側の電圧をそれぞれ検出するように構成してあり、
前記判定部は、
前記電圧検出部で検出したそれぞれの電圧に応じて、各負荷のオープン及び／又はショートを判定するように構成してあることを特徴とする請求項２に記載の駆動装置。
【請求項４】
前記負荷のアノード側の電圧を検出する基準電圧検出部を備え、
前記判定部は、
前記電圧検出部及び基準電圧検出部それぞれで検出した電圧に応じて、前記負荷のオープン及び／又はショートを判定するように構成してあることを特徴とする請求項１又は請求項３に記載の駆動装置。
【請求項５】
前記負荷がＬＥＤであることを特徴とする請求項１乃至請求項４のいずれか１つに記載の駆動装置。
【請求項６】
請求項１乃至請求項５のいずれか１つに記載の駆動装置を備えることを特徴とする照明装置。
【発明の詳細な説明】
【技術分野】
【０００１】
本発明は、ＬＥＤ等の負荷を駆動する駆動装置及び該駆動装置を備える照明装置に関する。
【背景技術】
【０００２】
従来、照明装置又は表示装置等では蛍光灯又は白熱灯などが光源として使用されている。一方で、従来の光源に比べて、寿命が長く、かつ消費電力も少ないという特徴を備えたＬＥＤ（発光ダイオード）を照明用又は表示用の光源として使用するための技術開発が行われている。
【０００３】
このようなＬＥＤを照明装置等に使用する場合には、十分な明るさを確保するために、ＬＥＤを直列又は並列に多数接続し、ＬＥＤの集合体として装置内に配置している。また、それぞれのＬＥＤの明るさを均一にするために、各ＬＥＤに流れる電流を一定にする定電流駆動素子を備えたＬＥＤ駆動装置が開示されている（特許文献１参照）。
【０００４】
図５は従来のＬＥＤ駆動用の駆動装置２００の要部構成を示す回路図である。駆動装置２００は、基板（不図示）に実装され、並列に接続されたＬＥＤ１、２、３、４に所定の電圧Ｖｄｄを供給するとともに、ＬＥＤ１、２、３、４全体に流れる電流が一定になるように制御する。ＬＥＤ１、２、３、４それぞれは、内部に複数のＬＥＤチップが直列及び／又は並列に接続してある。
【０００５】
各ＬＥＤ１、２、３、４のカソードには、電流駆動用のトランジスタＱ１のコレクタを接続してあり、トランジスタＱ１のエミッタは、抵抗素子Ｒ５を介して接地レベルに接続してある。トランジスタＱ１のベースには、演算増幅器１０の出力端を接続してある。演算増幅器１０の反転入力端は、抵抗素子Ｒ４を介してトランジスタＱ１のエミッタに接続してあり、非反転入力端は、基準となる電圧Ｖｒｅｆを印加している。これらにより定電流駆動回路を構成している。
【特許文献１】特開２００７−４２７５８号公報
【発明の開示】
【発明が解決しようとする課題】
【０００６】
しかしながら、特許文献１のＬＥＤ駆動装置又は従来の駆動装置にあっては、ＬＥＤにオープン又はショートなどの異常が発生した場合でも、定電流駆動回路は、ＬＥＤ全体に所定の電流を供給し続ける。このため、例えば、あるＬＥＤがショートした場合には、そのＬＥＤに流れる電流が増加し、増加した電流により他の電子部品等が発熱するおそれがある。また、あるＬＥＤがオープンとなった場合には、そのＬＥＤ以外の他のＬＥＤに過剰な電流が流れるため、他のＬＥＤが発熱するおそれがあり、異常状態が長時間継続した場合には、発煙又は発火といった問題が生じる可能性がある。
【０００７】
本発明は斯かる事情に鑑みてなされたものであり、ＬＥＤ等の負荷の異常を容易に判定して発煙又は発火を防止することができる駆動装置及び該駆動装置を備える照明装置を提供することを目的とする。
【課題を解決するための手段】
【０００８】
本発明に係る駆動装置は、ＬＥＤ等の負荷に電流を供給するための電流駆動素子を備える駆動装置において、前記負荷のオープン及び／又はショートにより発生する電圧の変動を検出する電圧検出部と、該電圧検出部で検出した電圧に応じて、前記負荷のオープン及び／又はショートを判定する判定部とを備えることを特徴とする。
【０００９】
本発明に係る駆動装置は、ＬＥＤ等の負荷に電流を供給するための電流駆動素子を備える駆動装置において、前記電流駆動素子に直列に該電流駆動素子と前記負荷のカソードとの間に接続される整流素子と、該整流素子のアノード側の電圧を検出する電圧検出部と、該電圧検出部で検出した電圧に応じて、前記負荷のオープン及び／又はショートを判定する判定部とを備えることを特徴とする。
【００１０】
本発明に係る駆動装置は、前記電流駆動素子は、並列接続された複数のＬＥＤ等の負荷に定電流を供給するように構成してあり、前記電流駆動素子に直列に該電流駆動素子と各負荷との間にそれぞれ接続される整流素子を複数備え、前記電圧検出部は、各整流素子のアノード側の電圧をそれぞれ検出するように構成してあり、前記判定部は、前記電圧検出部で検出したそれぞれの電圧に応じて、各負荷のオープン及び／又はショートを判定するように構成してあることを特徴とする。
【００１１】
本発明に係る駆動装置は、前記負荷のアノード側の電圧を検出する基準電圧検出部を備え、前記判定部は、前記電圧検出部及び基準電圧検出部それぞれで検出した電圧に応じて、前記負荷のオープン及び／又はショートを判定するように構成してあることを特徴とする。
【００１２】
本発明に係る駆動装置は、前記負荷がＬＥＤであることを特徴とする。
【００１３】
本発明に係る照明装置は、前述のいずれか１つの発明に係る駆動装置を備えることを特徴とする。
【００１４】
本発明にあっては、電圧検出部は、ＬＥＤ等の負荷のオープン及び／又はショートにより発生する電圧の変動を検出する。判定部は、検出された電圧に応じて、負荷のオープン及び／又はショートを判定する。これにより、ＬＥＤ等の負荷にショート又はオープンなどの異常が発生した場合でも、簡単な構成で負荷にどのような異常が発生したか容易に判定することができる。
【００１５】
本発明にあっては、ＬＥＤに電流を供給するための電流駆動素子に直列に、その電流駆動素子とＬＥＤのカソードとの間に整流素子（例えば、ダイオード）を接続してある。すなわち、正側の電源電圧と負側の電源電圧（接地レベル）との間に、ＬＥＤ、整流素子及び電流駆動素子がこの順に直列に接続された回路を構成する。電圧検出部は、整流素子のアノード側の電圧を検出する。この場合、電圧検出部は、抵抗素子を含む電圧変換回路で構成することができ、整流素子のアノード側の電圧を適当な電圧に変換して検出することができる。判定部は、検出した電圧に応じて、ＬＥＤのオープン及び／又はショートを判定する。ＬＥＤが正常に動作している場合、電圧検出部は、例えば、電源電圧からＬＥＤの順方向電圧を差し引いた電圧に対応する電圧を検出する。また、ＬＥＤがショートした場合、電圧検出部は電源電圧に対応する電圧を検出する。また、ＬＥＤがオープンした場合、電流駆動素子側の電圧を整流素子でクリップさせておくことで整流素子側の電圧の影響を受けることなく、電圧検出部は、電圧変換回路により構成される電圧を検出する。これにより、ＬＥＤにショート又はオープンなどの異常が発生した場合でも、簡単な構成でＬＥＤにどのような異常が発生したか容易に判定することができる。
【００１６】
本発明にあっては、電流駆動素子は、並列接続された複数のＬＥＤに定電流を供給するように構成してある。すなわち、並列接続されたＬＥＤ全体に一定の電流が流れるようにしてある。各ＬＥＤと電流駆動素子との間には、それぞれ整流素子を接続してある。また、電圧検出部は、各整流素子のアノード側の電圧をそれぞれ検出する。この場合も、電圧検出部は、抵抗素子を含む電圧変換回路で構成することができ、各整流素子のアノード側の電圧を適当な電圧に変換して検出することができる。判定部は、検出したそれぞれの電圧に応じて、各ＬＥＤのオープン及び／又はショートを判定する。これにより、複数のＬＥＤのうちいずれかのＬＥＤにショート又はオープンなどの異常が発生した場合でも、どのＬＥＤにどのような異常が発生したか容易に判定することができる。
【００１７】
本発明にあっては、基準電圧検出部は、ＬＥＤのアノード側の電圧を検出する。基準電圧検出部は、抵抗素子を含む電圧変換回路で構成することができ、ＬＥＤのアノード側の電圧を適当な電圧に変換して検出することができる。また、基準電圧検出部の構成を電圧検出部と同等の構成とすることで、同じ電圧を検出した場合、電圧検出部の出力電圧と基準電圧検出部の出力電圧とを同等にすることができる。判定部は、電圧検出部及び基準電圧検出部それぞれで検出した電圧に応じて、ＬＥＤのオープン及び／又はショートを判定する。例えば、ＬＥＤがショートした場合、電圧検出部が検出する箇所と基準電圧検出部が検出する箇所は同一電位となるため、それぞれが検出した電圧が同等である場合、ＬＥＤがショートしたものと判定することができる。また、ＬＥＤがオープンした場合には、電圧検出部が検出する箇所と基準電圧検出部が検出する箇所は開放されるため、予め電圧検出部及び基準電圧検出部の電圧変換回路をＬＥＤが正常動作中に検出される電圧とＬＥＤがオープンしたときに検出される電圧とが異なる電圧になるように構成しておくことで、電圧検出部及び基準電圧検出部それぞれが検出した電圧が異なる場合、ＬＥＤがオープンしたものと判定することができる。これにより、ＬＥＤのオープン及び／又はショートを精度良く判定することができる。
【００１８】
本発明にあっては、ＬＥＤにショート又はオープンなどの異常が生じた場合でも、ＬＥＤの故障モードを把握することができ、発煙又は発火を防止することができる照明装置を提供することができる。
【発明の効果】
【００１９】
本発明にあっては、ＬＥＤにショート又はオープンなどの異常が発生した場合でも、簡単な構成でＬＥＤにどのような異常が発生したか容易に判定することができる。
【００２０】
また、本発明にあっては、複数のＬＥＤのうちいずれかのＬＥＤにショート又はオープンなどの異常が発生した場合でも、どのＬＥＤにどのような異常が発生したか容易に判定することができる。
【００２１】
また、本発明にあっては、ＬＥＤのオープン及び／又はショートを精度良く判定することができる。
【００２２】
また、本発明にあっては、ＬＥＤの故障モードを把握することができ、発煙又は発火を防止することができる。
【発明を実施するための最良の形態】
【００２３】
以下、本発明をその実施の形態を示す図面に基づいて説明する。図１は本発明に係る駆動装置１００の要部構成を示す回路図である。駆動装置１００は、基板（不図示）に実装されたＬＥＤ１、２、３、４に所定の電圧Ｖｄｄを供給するとともに、並列接続されたＬＥＤ１、２、３、４全体に所定の定電流を供給する。なお、駆動装置１００とＬＥＤ１〜４を実装した基板は、別個の部品として構成することもでき、あるいは、ＬＥＤ１〜４を実装した基板に駆動装置１００を構成する電子部品を実装することもできる。また、ＬＥＤ１〜４それぞれは、内部に複数のＬＥＤチップが直列及び／又は並列に接続してある。なお、ＬＥＤの数は、一例であって、４個に限定されるものではない。
【００２４】
各ＬＥＤ１〜４のカソードには、整流素子としてのダイオードＤ１、Ｄ２、Ｄ３、Ｄ４のアノードを接続してあり、各ダイオードＤ１〜Ｄ４のカソードには、電流駆動素子としてのトランジスタＱ１のコレクタを接続してある。トランジスタＱ１のエミッタは、抵抗素子Ｒ５を介して接地レベルに接続してある。トランジスタＱ１のベースには、演算増幅器１０の出力端を接続してある。演算増幅器１０の反転入力端は、抵抗素子Ｒ４を介してトランジスタＱ１のエミッタに接続してあり、非反転入力端は、基準となる電圧Ｖｒｅｆを印加している。これらによりＬＥＤ１〜４全体に一定の電流（例えば、１〜２Ａ程度）を供給する定電流駆動回路を構成している。
【００２５】
各ＬＥＤ１〜４のアノードには、抵抗素子Ｒ１の一端を接続してあり、抵抗素子Ｒ１の他端には、抵抗素子Ｒ２、Ｒ３それぞれの一端を接続してある。抵抗素子Ｒ３の他端は接地レベルに接続してあり、抵抗素子Ｒ２の他端は出力端（Ｖｓ）としてマイコン５０へ接続してある。抵抗素子Ｒ１〜Ｒ３で構成される基準電圧検出部４０は、ＬＥＤ１〜４のアノードの電圧（電源電圧Ｖｄｄ）を変換して出力電圧Ｖｓをマイコン５０へ出力する。
【００２６】
ダイオードＤ１のアノードには、抵抗素子Ｒ１１の一端を接続してあり、抵抗素子Ｒ１１の他端には、抵抗素子Ｒ１２、Ｒ１３それぞれの一端を接続してある。抵抗素子Ｒ１３の他端は接地レベルに接続してあり、抵抗素子Ｒ１２の他端は出力端（Ｖ１）としてマイコン５０へ接続してある。抵抗素子Ｒ１１〜Ｒ１３で構成される電圧検出部４１は、ダイオードＤ１のアノード（ＬＥＤ１のカソード）の電圧を変換して出力電圧Ｖ１をマイコン５０へ出力する。抵抗素子Ｒ１とＲ１１、Ｒ２とＲ１２、Ｒ３とＲ１３をそれぞれ同等の抵抗値のもので構成することで、基準電圧検出部４０と電圧検出部４１とで同じ電圧を検出した場合には、同じ電圧を出力することができる。
【００２７】
ダイオードＤ２〜Ｄ４のアノードそれぞれにも、抵抗素子Ｒ２１、Ｒ２２、Ｒ２３で構成される電圧検出部４２、抵抗素子Ｒ３１、Ｒ３２、Ｒ３３で構成される電圧検出部４３、抵抗素子Ｒ４１、Ｒ４２、Ｒ４３で構成される電圧検出部４４を接続してある。電圧検出部４２、４３、４４は、電圧検出部４１と同一の抵抗値を有する抵抗素子で構成され、それぞれ出力電圧Ｖ２、Ｖ３、Ｖ４をマイコン５０へ出力する。マイコン５０は、アナログ・デジタル変化回路を備え、入力された電圧Ｖｓ、Ｖ１〜Ｖ４をデジタル値に変換する。
【００２８】
次に駆動装置１００の動作について説明する。基準電検出部４０は、電源電圧Ｖｄｄを変換して出力電圧Ｖｓをマイコン５０へ出力する。ＬＥＤ１〜４が正常に動作している場合、例えば、電圧検出部４１は、電源電圧ＶｄｄからＬＥＤ１の順方向電圧（例えば、１０Ｖ程度）を差し引いた電圧を変換した電圧Ｖ１を出力する。この電圧を仮にＶｃとするとＶ１＝Ｖｃである。なお、電圧Ｖｃは、トランジスタＱ１のコレクタ電圧である。また、ダイオードＤ１には、順方向電圧約０．６Ｖが生じている。同様に、電圧検出部４２、４３、４４それぞれの出力電圧Ｖ２、Ｖ３、Ｖ４はＶｃとなる。
【００２９】
仮にＬＥＤ１がショートした場合、ＬＥＤ１のアノードとカソードは同一電位になるため、電圧検出部４１が検出する電圧は、基準電圧検出部４０と同様に電源電圧Ｖｄｄを検出する。電圧検出部４１は基準電圧検出部４０と同様に電源電圧Ｖｄｄを変換して出力電圧Ｖｓを出力する。すなわち、電圧検出部４１の出力電圧Ｖ１は、Ｖ１＝Ｖｓとなる。仮にＬＥＤ２、３、４のいずれかがショートした場合も同様に、電圧検出部４２、４３、４４は、出力電圧Ｖ２＝Ｖｓ、Ｖ３＝Ｖｓ、Ｖ４＝Ｖｓを出力する。
【００３０】
一方、ＬＥＤ１がオープンになった場合、トランジスタＱ１のコレクタの電圧Ｖｃは、ダイオードＤ１でクリップさせておくことができ、電圧検出部４１には電圧が印加されない。このため、電圧検出部４１は、抵抗素子Ｒ１３を介して接地レベルの電圧が出力される。すなわち、電圧検出部４１は、出力電圧Ｖ１＝０を出力する。仮にＬＥＤ２、３、４のいずれかがオープンになった場合も同様に、電圧検出部４２、４３、４４は、出力電圧Ｖ２＝０、Ｖ３＝０、Ｖ４＝０を出力する。
【００３１】
本発明では、上述の構成を備えることにより、複数のＬＥＤのうち、どのＬＥＤがオープン又はショートしたかを容易に判定することができる。特に簡単な構成で、ＬＥＤのショート及びオープンの両方を区別して判定することが可能となる。
【００３２】
図２は検出電圧とＬＥＤ１〜４の故障モードとの関係を示す説明図である。図２に示すように、検出電圧Ｖ１〜Ｖ４が、所定の電圧Ｖｃ（なお、この電圧値は適宜設定することができる）である場合、各ＬＥＤ１〜４は正常に動作していると判定することができる。一方、検出電圧Ｖ１〜Ｖ４が、基準電圧検出部４０の出力電圧Ｖｓと同じ場合には、各ＬＥＤ１〜４はショートしていると判定することができる。また、検出電圧Ｖ１〜Ｖ４が、基準電圧検出部４０の出力電圧Ｖｓと異なる場合（正常時の電圧Ｖｃとも異なる）、例えば、接地レベル（０Ｖ）である場合には、各ＬＥＤ１〜４はオープンしていると判定することができる。これにより、複数のＬＥＤのうちいずれかのＬＥＤにショート又はオープンなどの異常が発生した場合でも、どのＬＥＤにどのような異常が発生したか容易に判定することができる。また、ＬＥＤのオープン及び／又はショートを精度良く判定することができる。
【００３３】
マイコン５０は、例えば、ＬＥＤ１〜４のうち、１つのＬＥＤにショートが発生したと判定した場合には、過剰な短絡電流が流れることを防止するため、トランジスタＱ１の動作を停止させるべく演算増幅器１０を制御することができる。あるいは、トランジスタＱ１に流れる電流を極めて小さい電流にするとともに、トランジスタＱ１のオン・オフを繰り返すことで、他の正常なＬＥＤをオン・オフさせて間欠的に点灯させることもできる。これにより、発煙、発熱を防止することができる。また、ＬＥＤ１〜４のうち、１つのＬＥＤ（例えば、ＬＥＤ１）にオープンが発生したと判定した場合には、他のＬＥＤ２〜４に過剰な電流が流れることを防止するため、トランジスタＱ１に流れる電流を正常時の定常電流の３／４程度の電流に抑える。すなわち、オープンしたＬＥＤの数に応じて電流を減少させることで、他の正常なＬＥＤに流れる電流が変化しないようにすることができる。これにより、ＬＥＤ２〜４には、正常時と同程度の電流を流すことができる。これにより、正常時に比較してＬＥＤからの発光による全体の明るさは減少するものの、発煙、発熱を防止しつつ継続して装置を動作させることができる。
【００３４】
基準電圧検出部４０、電圧検出部４１〜４４の構成は上述の例に限定されるものではなく、他の構成とすることができる。
【００３５】
図３は駆動装置１００の要部構成の他の例を示す回路図である。基準電圧検出部４０は、抵抗素子Ｒ６、Ｒ７、Ｒ８で構成され、各ＬＥＤ１〜４のアノードには、抵抗素子Ｒ６の一端を接続してあり、抵抗素子Ｒ６の他端には、抵抗素子Ｒ７、Ｒ８それぞれの一端を接続してある。抵抗素子Ｒ８の他端には所定の電圧Ｖｅｅを印加してあり、抵抗素子Ｒ７の他端は出力端（Ｖｓ）としてマイコン５０へ接続してある。
【００３６】
電圧検出部４４は、抵抗素子Ｒ４６、Ｒ４７、Ｒ４８で構成され、ダイオードＤ４のアノードには、抵抗素子Ｒ４６の一端を接続してあり、抵抗素子Ｒ４６の他端には、抵抗素子Ｒ４７、Ｒ４８それぞれの一端を接続してある。抵抗素子Ｒ４８の他端には所定の電圧Ｖｅｅを印加してあり、抵抗素子Ｒ４７の他端は出力端（Ｖ４）としてマイコン５０へ接続してある。
【００３７】
抵抗素子Ｒ６とＲ４６、Ｒ７とＲ４７、Ｒ８とＲ４８をそれぞれ同等の抵抗値のもので構成することで、基準電圧検出部４０と電圧検出部４４とで同じ電圧を検出した場合には、同じ電圧を出力することができる。
【００３８】
ダイオードＤ１〜Ｄ３のアノードそれぞれにも、同様の構成の電圧検出部４１〜４３を接続してあるが、説明は省略する。電圧検出部４１〜４３は、電圧検出部４４と同一の抵抗値を有する抵抗素子で構成され、それぞれ出力電圧Ｖ１〜Ｖ３をマイコン５０へ出力する。
【００３９】
この場合、仮にＬＥＤ４がオープンになったときは、トランジスタＱ１のコレクタの電圧Ｖｃは、ダイオードＤ４でクリップさせておくことができ、電圧検出部４４には電圧が印加されない。このため、電圧検出部４４は、抵抗素子Ｒ４８、Ｒ４７を介して電圧Ｖｅｅが出力される。すなわち、電圧検出部４４は、出力電圧Ｖ４＝Ｖｅｅを出力する。仮にＬＥＤ１〜３のいずれかがオープンになった場合も同様に、電圧検出部４１〜４３は、出力電圧Ｖ１＝Ｖｅｅ、Ｖ２＝Ｖｅｅ、Ｖ３＝Ｖｅｅを出力する。ＬＥＤ１〜４が正常に動作している場合及びショートした場合は、図１の例と同様である。
【００４０】
図４は検出電圧とＬＥＤ１〜４の故障モードとの関係を示す説明図である。図４に示すように、検出電圧Ｖ１〜Ｖ４が、所定の電圧Ｖｃ（なお、この電圧値は適宜設定することができる）である場合、各ＬＥＤ１〜４は正常に動作していると判定することができる。一方、検出電圧Ｖ１〜Ｖ４が、基準電圧検出部４０の出力電圧Ｖｓと同じ場合には、各ＬＥＤ１〜４はショートしていると判定することができる。また、検出電圧Ｖ１〜Ｖ４が、基準電圧検出部４０の出力電圧Ｖｓと異なる場合（正常時の電圧Ｖｃとも異なる）、例えば、電圧Ｖｅｅである場合には、には、各ＬＥＤ１〜４はオープンしていると判定することができる。これにより、複数のＬＥＤのうちいずれかのＬＥＤにショート又はオープンなどの異常が発生した場合でも、どのＬＥＤにどのような異常が発生したか容易に判定することができる。また、ＬＥＤのオープン及び／又はショートを精度良く判定することができる。
【００４１】
上述の実施の形態では、ＬＥＤを複数個並列に接続する構成であったが、ＬＥＤの数は特に限定されるものではなく、１個であってもよい。また、ＬＥＤに代えて有機ＥＬ素子などの光源を負荷として用いることも可能である。また、本発明に係る駆動装置は、照明装置のみならずＬＥＤを用いた表示装置にも適用することができる。
【図面の簡単な説明】
【００４２】
【図１】本発明に係る駆動装置の要部構成を示す回路図である。
【図２】検出電圧とＬＥＤの故障モードとの関係を示す説明図である。
【図３】駆動装置の要部構成の他の例を示す回路図である。
【図４】検出電圧とＬＥＤの故障モードとの関係を示す説明図である。
【図５】従来のＬＥＤ駆動用の駆動装置の要部構成を示す回路図である。
【符号の説明】
【００４３】
１、２、３、４  ＬＥＤ
Ｄ１、Ｄ２、Ｄ３、Ｄ４  ダイオード
Ｒ１〜Ｒ８  抵抗素子
Ｒ１１〜Ｒ１３、Ｒ２１〜Ｒ２３、Ｒ３１〜Ｒ３３  抵抗素子
Ｒ４１〜Ｒ４３、Ｒ４６〜Ｒ４８  抵抗素子
Ｑ１  トランジスタ
１０  演算増幅器
４０  基準電圧検出部
４１〜４４  電圧検出部
５０  マイコン
【図１】
2009016459.tif 000003
【図２】
2009016459.tif 000004
【図３】
2009016459.tif 000005
【図４】
2009016459.tif 000006
【図５】
2009016459.tif 000007